(57)【特許請求の範囲】
【請求項１】
リスト集、目次、索引等のリスト形態の内容の印刷に関するデータをページレイアウト上で編集して各ページでイメージデータとすることで製版して印刷を行う際に使用されるデータベースを作成するデータベース作成管理システムであって、
所定情報より印刷に関するデータを取得し、取得データのうち前記リスト形態に関連するテキストデータを少なくとも各ページの前記ページレイアウトの所定数の段組における各段の少なくとも１行に相当する一レコード分の関連データとし、各ページの少なくとも１行分に相当する当該関連データのそれぞれを当該ページレイアウトの少なくとも１行分の大きさに編集するデータ処理手段と、
前記各ページを前記ページレイアウト上で編集により配置させることで構成させるためのイメージデータを、前記データ処理手段で編集された少なくとも前記各段の少なくとも１行に相当する一レコード分としての関連データをそれぞれイメージ化することで作成する印刷データ作成手段と、
前記印刷データ作成手段で作成された、前記各ページを構成する少なくとも１行分の関連データのイメージデータを一レコード分としてそれぞれ格納するものであり、要求により当該イメージデータを出力して、ページレイアウト上で当該イメージデータを各ページに配置させたページレイアウトデータを作成させるためのデータベースと、
を有することを特徴とするデータベース作成管理システム。
【請求項２】
請求項１記載のデータベース作成管理システムであって、
前記データ処理手段は、前記各ページにおける少なくとも１行分に相当する前記関連データに属性データをそれぞれ付与する手段を備え、
前記印刷データ作成手段は、前記属性データで管理される前記関連データをイメージデータとすることを特徴とするデータベース作成管理システム。
【請求項３】
請求項１又は２記載のデータベース作成管理システムであって、前記印刷データ作成手段は、前記関連データをイメージ化するにあたり、前記データ処理手段で作成された当該関連データを、前記各ページにおける各段の少なくとも１行に相当するフレームに組み込んでイメージデータとすることを特徴とするデータベース作成管理システム。
【請求項４】
請求項１〜３の少なくとも何れかに記載のデータベース作成管理システムであって、前記印刷データ作成手段で作成した前記イメージデータを編集し、又は前記データベースに格納されている前記各イメージデータに対して編集を行うための編集手段を備えることを特徴とするデータベース作成管理システム。
【発明の詳細な説明】
【０００１】
【発明の属する技術分野】
本発明は、印刷データを組版処理してレイアウト編集し、印刷を行う際に使用される印刷データが格納されるデータベース及びこれを作成し、管理するデータベース作成管理システムに関する。
【０００２】
【従来の技術】
近年、印刷における製版工程は、コンピュータを用いたいわゆるＤＴＰ（Ｄｅｓｋｔｏｐ  Ｐｕｂｌｉｓｈｉｎｇ）によるデジタル製版が行われるようになってきている。また、コンピュータの性能向上に伴って組版処理も自動的に行われるようになってきている。このように、印刷処理の効率が向上された中でも、印刷データの一つに変更、更新等があると全体を再編集しなければならないことから、このような場合であっても労力の軽減、効率化が図られることが望まれている。
【０００３】
従来、印刷物の版を作成する手段として、データベース（ＤＢ）等の可変データをプログラムによる自動組版処理が行われている。このような製版工程では、印刷に関するデータが格納されているオリジナルＤＢより製版に必要な印刷データ（テキストデータ）を取得し、組版の条件に応じたソート等のデータ処理を行う。このデータに基づいてページレイアウト（フレーム）上で自動組版処理を行って、全ページのページレイアウトデータを作成して紙やフィルムに印刷を行い、又はデータファイル出力する。上記全ページのページレイアウト処理を行った後、自動組版化されない箇所、例えば割り付け対応の困難な場合等には、ハンドリングによりページレイアウトデータ編集を行う。
【０００４】
【発明が解決しようとする課題】
しかしながら、印刷内容が定期的に変更される場合において、定期サイクルで毎回上記自動組版処理を行う必要性がある場合、また可変データの追加、削除等の更新がある場合、またページ数などの処理量が大きい場合、またページレイアウトの際に修正作業が発生する場合等の条件下では自動組版後にその都度修正作業を行わなければならず、品質劣化や時間や労力の増大を招くという問題がある。
そこで、本発明は上記課題に鑑みなされたもので、ページレイアウト編集を容易とし、再編集が必要であっても品質を保持し、処理作業の効率化を図るデータベース作成管理システムおよびデータベースを提供することを目的とする。
【０００５】
【課題を解決するための手段】
上記課題を解決するために、請求項１の発明では、リスト集、目次、索引等のリスト形態の内容の印刷に関するデータをページレイアウト上で編集して各ページでイメージデータとすることで製版して印刷を行う際に使用されるデータベースを作成するデータベース作成管理システムであって、所定情報より印刷に関するデータを取得し、取得データのうち前記リスト形態に関連するテキストデータを少なくとも各ページの前記ページレイアウトの所定数の段組における各段の少なくとも１行に相当する一レコード分の関連データとし、各ページの少なくとも１行分に相当する当該関連データのそれぞれを当該ページレイアウトの少なくとも１行分の大きさに編集するデータ処理手段と、前記各ページを前記ページレイアウト上で編集により配置させることで構成させるためのイメージデータを、前記データ処理手段で編集された少なくとも前記各段の少なくとも１行に相当する一レコード分としての関連データをそれぞれイメージ化することで作成する印刷データ作成手段と、前記印刷データ作成手段で作成された、前記各ページを構成する少なくとも１行分の関連データのイメージデータを一レコード分としてそれぞれ格納するものであり、要求により当該イメージデータを出力して、ページレイアウト上で当該イメージデータを各ページに配置させたページレイアウトデータを作成させるためのデータベースと、を有する構成とする。
【０００６】
請求項２〜４の発明では、「前記データ処理手段は、前記各ページにおける少なくとも１行分に相当する前記関連データに属性データをそれぞれ付与する手段を備え、前記印刷データ作成手段は、前記属性データで管理される前記関連データをイメージデータとする」構成であり、
「前記印刷データ作成手段は、前記関連データをイメージ化するにあたり、前記データ処理手段で作成された当該関連データを、前記各ページにおける各段の少なくとも１行に相当するフレームに組み込んでイメージデータとする」構成であり、
「前記印刷データ作成手段で作成した前記イメージデータを編集し、又は前記データベースに格納されている前記各イメージデータに対して編集を行うための編集手段を備える」構成である。
【０００９】
このように、リスト集、目次、索引等のリスト形態の内容の印刷に関するデータのうち当該リスト形態に関連するテキストデータを少なくとも各ページのページレイアウト上の所定数の段組における各段の少なくとも１行に相当する一レコード分の関連データとし、当該各ページのページレイアウトデータを構成させるそれぞれのイメージデータとしてデータベースに格納させる。すなわち、少なくとも１行分のイメージデータでページレイアウト編集を行うことから編集が容易となり、再編集が必要であっても品質を保持し、処理作業の効率化を図ることが可能となるものである。
【００１０】
【発明の実施の形態】
以下、本発明の好ましい実施形態を図により説明する。
図１に、本発明の第１実施形態に係るデータベース作成管理システムの構成説明図を示す。図１に示すデータベース作成管理システム１１は、いわゆるカラオケに使用される曲リスト集を印刷する際に適用される場合を示したものである。図１において、図１（Ａ）はデータベース作成管理システム１１のブロック構成図であり、図１（Ｂ）はデータベースに格納されるデータ構造の概念図である。
【００１１】
図１（Ａ）のデータベース作成管理システム１１は、印刷に関するデータをページレイアウト上で編集して各ページでイメージデータとすることで製版して印刷を行う際に使用されるデータベースを作成するものであって、少なくとも、データ処理手段１２、印刷データ作成手段１３及び本発明のデータベースとしての印刷データベース（ＤＢ）１４を含んで構成される。
【００１２】
上記データ処理手段１２は、詳細は後述するが、所定情報であるカラオケに関する総てのデータ（テキストデータ）が格納されているオリジナルＤＢ１５より曲リスト集の印刷に関するデータを所定の処理条件で取得し、取得データのうち関連するデータを、適宜属性データを付与した、少なくとも各ページのページレイアウトの所定数の段組における各段の少なくとも１行に相当する関連データとし、各ページの各行分に相当する当該関連データのそれぞれを編集する。ここで、処理条件とは、後述するが印刷に必要なデータの条件、出力するデータの構造、大きさの条件、データ並びの条件等である。
【００１３】
上記印刷データ作成手段１３は、各ページをページレイアウト上で編集により配置させることで構成させるためのイメージデータであって、当該イメージデータをデータ処理手段１２で編集された少なくとも各行分毎の関連データを適宜各行に相当するフレームに組み込んでそれぞれイメージ化することで作成する。このイメージデータには、所定数組み合わせることにより一の表示として例えば見出しを印刷させるためのそれぞれイメージ化されたデータを含み、当該各ページを構成する空白部分に相当するイメージデータを含むものである。
【００１４】
上記データベース１４は、要求により所定のイメージデータを出力して各ページを構成させたページレイアウトデータを作成させるためのもので、上記印刷データ作成手段１３で作成されたそれぞれのイメージデータを適宜属性データで管理して格納する。すなわち、印刷に関するデータのうち少なくとも各ページのページレイアウト上の所定数の段組における各段の少なくとも１行に相当する関連データを、当該各ページのページレイアウトデータを構成させるそれぞれのイメージデータとして格納するものである。
【００１５】
上記データベース１４に格納されたそれぞれのイメージデータは、図１（Ｂ）に示すように、各ページの各段の１行分に相当する大きさのイメージデータ１６（１６Ａ，１６Ｂ・・・）であり、属性データとして例えばフラグ（ファイル名としてもよく、ＩＤ（識別子）でもよい）１７（１７Ａ，１７Ｂ・・・）が付与されて管理される。例えば「あ」というタイトルのイメージデータ、「曲名、リクエストＮＯ、唄い出し、歌手名等」というタイトルのイメージデータ、各具体的な曲名、リクエストＮＯ、唄い出し、歌手名等のそれぞれの関連する一のイメージデータが当該データベース１４にそれぞれ格納されるものである。なお、図１（Ｂ）における各イメージデータ１７の枠は、図面上認識し易いようにしたもので、本来データとして含まれるものではない。
【００１６】
ここで、図２に図１のデータ処理手段のブロック構成図を示すと共に、図３に図１の印刷データ作成手段のブロック構成図を示す。図２に示すデータ処理手段１２は、少なくとも、データ取得手段２１、データ編集手段２２、属性データ付与手段２３、ソート出力手段２４を備える。データ取得手段２１は、上記オリジナルＤＢ１５より必要な印刷データ（テキストデータ）を、上記の例でいうと各タイトルのデータの他に、曲名、リクエストＮＯ、唄い出し、歌手名の関連する各データを必要とされる分だけ抽出する条件処理で取得する。
【００１７】
上記データ編集手段２２は、上記データ取得手段２１で順次取得したデータを、例えば１ページのページレイアウトにおける１行分（段組を１段とする）の大きさで関連するデータ（例えば上記曲名、リクエストＮＯ、唄い出し、歌手名の各データを関連データとする）の処理条件で、各関連データを編集する。例えば、印刷用紙がＡ４大（幅２１０ｍｍ、長さ２９７ｍｍ）、横書きの場合、上マージンを１２ｍｍ、下マージンを１５ｍｍ（内マージン１６ｍｍ、外マージン１５ｍｍ）として３０行で印刷する場合には１行分の幅が９ｍｍとなることから、上記１行分のデータとして幅９ｍｍ、長さ１７９ｍｍの領域内に入るように上記関連データを編集する。なお、縦書きでも同様の各マージンを考慮したデータ大の編集処理を行えばよい。この一の関連データが１レコードとなる。
【００１８】
上記属性データ付与手段２３は、上記データ編集手段２２で作成された１行分の各関連データに、図１（Ｂ）に示すような例えばフラグ１７を属性データとして付与する。そして、上記ソート出力手段２４は、必要に応じて設けられるもので、上記フラグ１７が付与された１行分の各関連データを順番（例えば５０音順）等の処理条件で並べ替えをして上記印刷データ処理手段１３に順次送出する。
【００１９】
また、図３に示す印刷データ作成手段１３は、少なくともデータ展開手段３１、データ分離手段３２、イメージデータ作成手段３３、バッファ３４及び予め所定のパターンフレームが格納されているテンプレート３５を備える。データ展開手段３１は、データ処理手段１２より順次送出される各関連データを作業領域上に展開する。上記データ分離手段３２は、上記展開された各関連データのフラグ１７と本データ（関連データ）とを分離する。
【００２０】
上記イメージデータ作成手段３３は、テンプレート３５より該当のパターンフレーム（対応の１行分のフレーム）を読み込んで、上記分離された各関連データ（本データ）を当該フレームに組み込み、イメージデータ化する。例えばビットマップデータとする。そして、上記バッファ３４は、図１（Ｂ）に示すような上記フラグ１７が付与されたイメージデータ１６のそれぞれを一時格納し、これらを印刷ＤＢ１４にそれぞれ格納させるものである。なお、当該印刷ＤＢ１４に格納されるイメージデータ１６には、上述のように組み合わされて一の見出しとなるようなそれぞれのイメージデータ１６及び各ページの空白部分を担当する空白のイメージデータ１６をも含まれる。
【００２１】
ここで、図４に図２および図３におけるデータ処理手段および印刷データ作成手段の処理フローチャートを示す。図４（Ａ）はデータ処理手段１２の処理フローチャートであり、図４（Ｂ）は印刷データ作成手段１３の処理フローチャートである。図４（Ａ）において、データ処理手段１２は、まず、データ取得手段２１が上記オリジナルＤＢ１５より各タイトルのデータの他に、曲名、リクエストＮＯ、唄い出し、歌手名の関連した各データを必要とされる分だけのデータを抽出する条件処理に基づいた上記カラオケ用の曲リスト集を印刷するに必要な印刷データ（テキストデータ）を取得する（ステップ（Ｓ）１）。
【００２２】
取得された印刷データは、データ編集手段２２において、上述の処理条件で一のレコード分のサイズを特定し、当該取得データをサイズ適応に編集して関連データ（レコードデータ）とする（Ｓ２）。編集された各関連データは属性データ付与手段２３において例えばフラグ１７が付与され（Ｓ３）、ソート出力手段２４において例えば曲名や歌手名について５０音順に並べ換える処理条件に基づいてソートし（Ｓ４）、印刷データ作成手段１３に一のレコードデータ毎出力する（Ｓ５）。
【００２３】
図４（Ｂ）において、印刷データ作成手段１３では、上記データ処理手段１２より送出されてきた各レコードデータをデータ展開手段３１で取得して作業領域に順次展開する（Ｓ１１）。上記展開された各レコードデータは、データ分離手段３２で属性データのフラグ１７と、上記本データとを分離し（Ｓ１２）、イメージデータ作成手段３３において当該分離したそれぞれの本データをテンプレート３５より読み込んだパターンフレーム（１行分としてのフレーム）に組み込んでイメージデータ化（例えばビットマップ化）する（Ｓ１３）。
【００２４】
上記イメージデータ化した各レコードデータ（フラグ１７は付与されている状態）は、一旦バッファ３４に一時格納される（Ｓ１４）。そして、上記データ展開手段３１で展開した上記データ処理手段１２より送出されたそれぞれのレコードデータの総てをイメージデータ化してバッファ３４に一時格納されると（Ｓ１５）、データベースに順次格納して印刷ＤＢ１４を作成するものである（Ｓ１６）。
【００２５】
このように、印刷に関するデータのうち、少なくとも各ページのページレイアウト上における所定数の段組での各段の少なくとも１行に相当する関連データを、当該１行に相当するフレームに組み込んで当該各ページのページレイアウトデータを構成させるそれぞれのイメージデータ１６として印刷ＤＢ１４に格納させることにより、ページレイアウト編集が容易となり、再編集が必要であっても品質を保持し、処理作業の効率を向上させることができるものである。
【００２６】
なお、上記実施形態では関連データのイメージデータ化を各ページのレイアウト上における１行分としたが、２行単位分でもよく、上記関連データのデータ量とページレイアウトに応じて設定されるものである。
【００２７】
そこで、図５に、本発明のデータベースが適用される印刷処理システムの概略構成図を示す。図５（Ａ）はシステムブロック構成図であり、図５（Ｂ）は製版データの概念図を示したものである。図５（Ａ）に示す印刷処理システム４１は、上記カラオケ用の曲リスト集を印刷する場合としたもので、レイアウト処理データ作成手段４２、レイアウト処理手段４３、ページ印刷ＤＢ４４、フレームテンプレート４５及び印刷処理手段４６を少なくとも備える。
【００２８】
上記レイアウト処理データ作成手段４２は、ページ情報からの各ページレイアウト上での各印刷データ配置の情報（例えばテキスト情報）に基づいて、上記データベース作成管理システム１１で作成された印刷ＤＢ１４より図５（Ｂ）に示すような該当のイメージデータ１６を例えばフラグ１７により順番通りに取得して、互いのデータ内容が一致しているか否かのマッチングを行う。
【００２９】
上記レイアウト処理手段４３は、フレームテンプレート４５より図５（Ｂ）に示すような該当の各ページ毎のページレイアウトフレーム４７を取得して、当該フレーム上に印刷ＤＢ１４より取得したイメージデータ１６を順番通りに順次組み込んで編集処理を行う。ページ印刷ＤＢ４４は、上記レイアウト処理手段４３で順次作成された各ページ毎のレイアウトフレーム４８を図５（Ｂ）に示すようにページ順に格納する。
【００３０】
そして、印刷処理手段４６は、上記作成されたページ印刷ＤＢ４４に格納された全ページレイアウトフレームを印刷製版として、用紙やフィルム等に印刷、又は所定のファイル（例えばＰＤＦファイル）として印刷し、適宜製本を行うものである。
【００３１】
そこで、図６に、図５の印刷処理システムの処理フローチャートを示す。図６において、まず、レイアウト処理データ作成手段４２が上記ページ情報に基づいて印刷ＤＢ１４より対応のレコードデータを取得してデータマッチングを行う（Ｓ２１）。一方で、レイアウト処理手段４３はフレームテンプレート４５より対応するページ毎のページレイアウトフレーム４７を取得し（Ｓ２２）、一のページレイアウトフレーム４７上に上記データマッチングされた取得レコードデータ（イメージデータ）を上記ページ情報に従って順次組み込んで編集していき（Ｓ２３）、編集した各ページ毎の印刷データのページレイアウトフレーム４７をページ印刷ＤＢ４４に順次格納していく（Ｓ２４）。
【００３２】
そして、総てのページ分の全ページレイアウトフレーム４８を上記ページ印刷ＤＢ４４に格納させるもので（Ｓ２５）、当該ページ印刷ＤＢ４４に格納された全ページ分のページレイアウトフレーム４８を印刷製版として上記印刷処理手段４６において、用紙やフィルム等に印刷し、又は所定のファイル（例えばＰＤＦファイル）として印刷するもので、適宜製本を行う（Ｓ２６）。
【００３３】
ところで、新譜等がでた場合には、曲リスト集を更新しなければならない。このとき、上記データベース作成管理手段１１で当該新譜のデータに関する印刷データを取得し、これを上述のようにイメージ化して印刷ＤＢ１４に新たに格納する。そして、図５に示すような印刷処理システム４１で当該新譜のイメージデータを印刷ＤＢ１４より取得して、上記ページ情報に従って編集することで上記曲リスト集を改訂することができる。
【００３４】
すなわち、既存の曲に関する印刷データは既に印刷ＤＢ１４に格納されていることから、新たに作成する必要がなく更新処理作業の効率を大幅に向上させることができると共に、既存のデータに関して誤植等の事態が発生されることがなく、品質を保持させることができるものである。
【００３５】
次に、図７に、本発明の第２実施形態に係るデータベース作成管理システムの構成説明図を示す。図７（Ａ）はデータベース作成管理システム１１のブロック構成図であり、図７（Ｂ）はデータベースに格納されるデータ構造の概念図である。図７（Ａ）に示すデータベース作成管理システム１１は、編集手段５１を設けたもので、他の構成は図１（Ａ）と同様であることから説明は省略する。
【００３６】
上記編集手段５１は、上記印刷データ作成手段１３で作成した上述の各イメージデータを編集し、又は印刷ＤＢ１４に格納されている上述の各イメージデータに対して編集を行うためのものである。すなわち、上記印刷データ処理手段１３のデータイメージ化では編集することができない場合、例えば図７（Ｂ）に示すようなルビを付加する場合に当該編集手段５１でハンドリングにより編集して上記印刷ＤＢ１４に格納するものである。また、上記印刷ＤＢ１４に一旦格納されているレコードデータ（イメージデータ）を読み出して再編集することができるようにしたものである。これによって、再編集時であっても品質を保持し、処理作業の効率化を図ることができるものである。
【００３７】
なお、上記各実施形態では、カラオケ用の曲リスト集を作製する場合を例として示したが、他のリスト集用の製版、本や雑誌等の目次、索引等を編集製版させる場合等においても適用することができるのはもちろんである。
【００３８】
【発明の効果】
以上のように、請求項１及び３の発明によれば、リスト集、目次、索引等のリスト形態の内容リスト形態の印刷に関するデータのうち当該リスト形態に関連するテキストデータを少なくとも各ページのページレイアウト上の所定数の段組における各段の少なくとも１行に相当する一レコード分の関連データとし、適宜フレームに組み込んで当該各ページのページレイアウトデータを構成させるそれぞれのイメージデータとしてデータベースに格納させることにより、ページレイアウト編集が容易となり、再編集が必要であっても品質を保持し、処理作業の効率化を図ることができるものである。
【００３９】
請求項２の発明によれば、各ページにおける少なくとも１行分に相当する各関連データに属性データをそれぞれ付与し、データベースに格納される各イメージデータを当該属性データで管理させることにより、データベースからの該当イメージデータの検索等を容易とし、重複データの発生を防止することができ、ひいてはページレイアウト編集が容易となり、再編集が必要であっても品質を保持し、処理作業の効率化が図られる。
【００４０】
請求項４の発明によれば、印刷データ作成手段で作成したイメージデータ、又はデータベースに格納されているイメージデータに対して、編集自在の編集手段を備えさせることにより、再編集時であっても品質を保持し、処理作業の効率化が図られる。
【図面の簡単な説明】
【図１】本発明の第１実施形態に係るデータベース作成管理システムおよびデータの構成説明図である。
【図２】図１のデータ処理手段のブロック構成図である。
【図３】図１の印刷データ作成手段のブロック構成図である。
【図４】図２および図３におけるデータ処理手段および印刷データ作成手段の処理フローチャートである。
【図５】本発明のデータベースが適用される印刷処理システムの概略構成図である。
【図６】図５の印刷処理システムの処理フローチャートである。
【図７】本発明の第２実施形態に係るデータベース作成管理システムの構成説明図である。
【符号の説明】
１１                        データベース作成管理システム
１２                        データ処理手段
１３                        印刷データ作成手段
１４                        印刷データベース（ＤＢ）
１５                        オリジナルＤＢ
１６                        イメージデータ
１７                        フラグ
２２                        データ編集手段
２３                        属性データ付与手段
３３                        イメージデータ作成手段
４１                        印刷処理システム
４３                        レイアウト処理手段
４４                        ページ印刷ＤＢ４５
４５                        印刷処理手段
５１                        編集手段
【図１】
0004518612.tif 000002
【図２】
0004518612.tif 000003
【図３】
0004518612.tif 000004
【図４】
0004518612.tif 000005
【図５】
0004518612.tif 000006
【図６】
0004518612.tif 000007
【図７】
0004518612.tif 000008